(57)【特許請求の範囲】
【請求項１】
物体側から順に配置された、負の屈折力を有する第１レンズ群と、正の屈折力を有する第２レンズ群と、からなり、前記第１レンズ群と前記第２レンズ群との間隔を変化させることによって焦点距離を変化させるズームレンズであって、
前記第２レンズ群は、物体側から順に、少なくとも１面に非球面が形成された正の屈折力を有する第１レンズと、正の屈折力を有する第２レンズと、負の屈折力を有する第３レンズと、正の屈折力を有する第４レンズと、が配置されて構成され、
前記第２レンズと前記第３レンズとは接合されており、
以下の条件式を満足することを特徴とするズームレンズ。
（１）  ｆ1／ｆw＞−３．０
（２）  ｆ2／ｆw＜３．４
（４）  ０．５＜Ｄ21／ｆ2≦０．６２
ただし、ｆ1は前記第１レンズ群の焦点距離、ｆ2は前記第２レンズ群の焦点距離、ｆwは前記ズームレンズの広角端における焦点距離、Ｄ21は前記第２レンズ群の第１レンズの厚さを示す。
【請求項２】
前記第１レンズ群は、物体側から順に、負の屈折力を有するメニスカスレンズからなる第１レンズと、負の屈折力を有する第２レンズと、正の屈折力を有する第３レンズと、が配置されて構成され、
前記第１レンズ群の第３レンズにおけるｄ線の屈折率をＮｄ13、前記第１レンズ群の第３レンズにおけるｄ線のアッベ数をνｄ13とするとき、以下の条件式を満足することを特徴とする請求項１に記載のズームレンズ。
（７）  Ｎｄ13＞１．９
（８）  νｄ13＜１９
【請求項３】
前記第２レンズ群の第１レンズ物体側面から前記第２レンズ群の前側主点位置までの距離をｆ2ｈ1とするとき、以下の条件式を満足することを特徴とする請求項１または２に記載のズームレンズ。
（３）  ｆ2ｈ1／ｆw＜０．２８
【請求項４】
前記第２レンズ群の第４レンズの少なくとも１面には、非球面が形成されていることを特徴とする請求項１〜３のいずれか一つに記載のズームレンズ。
【請求項５】
以下の条件式を満足することを特徴とする請求項２〜４のいずれかひとつに記載のズームレンズ。
（５）  Ｎｄ11＞１．８
（６）  Ｎｄ12＞１．７
ただし、Ｎｄ11は前記第１レンズ群の第１レンズにおけるｄ線の屈折率、Ｎｄ12は前記第１レンズ群の第２レンズにおけるｄ線の屈折率を示す。
【発明の詳細な説明】
【技術分野】
【０００１】
この発明は、ボードカメラなどに好適な、広角大口径で高い光学性能を備えた小型のズームレンズに関する。
【背景技術】
【０００２】
近年、ビデオカメラ、監視カメラなど、種々の電子撮像装置が普及している。このような電子撮像装置の多くは、撮影レンズとしてズームレンズを搭載している。そして、近年の電子撮像装置の小型化にともない、電子撮像装置に搭載されるズームレンズもより一層の小型化が要求されており、このような要求を満足すべく、小型広角のズームレンズが数多く提案されている（たとえば、特許文献１，２を参照。）。
【０００３】
【特許文献１】特許第３６００８７０号公報
【特許文献２】特許第３４５４８０６号公報
【発明の開示】
【発明が解決しようとする課題】
【０００４】
監視カメラなどとして用いるボードカメラ用のレンズでは、薄暗い場所をより広い範囲まで監視でき、明るい像が得られる広角大口径ズームレンズが望まれている。このようなズームレンズを広角端におけるＦナンバーが１．２程度になるような２群構成で実現しようとすると、特に球面収差や軸上色収差、コマ収差の発生が顕著になるため、その対策が重要になる。しかしながら、そのような構成で、ボードカメラに搭載できるように、諸収差の発生を抑制し、小型広角で高い変倍比が得られるズームレンズは、これまで提案されていない。
【０００５】
たとえば、上記各特許文献に開示されたズームレンズをはじめとする従来技術では、長いバックフォーカスを確保して、明るい像を得るために広角端において１．２程度のＦナンバーを確保しようとすると、光学系の全長が長くなり、小型化を図ることができないという問題がある。加えて、広い画角を確保して高い変倍比を得ることが困難である。
【０００６】
この発明は、上述した従来技術による問題点を解消するため、広角大口径で、明るい像が得られる小型高性能なズームレンズを提供することを目的とする。
【課題を解決するための手段】
【０００７】
上述した課題を解決し、目的を達成するため、請求項１の発明にかかるズームレンズは、物体側から順に配置された、負の屈折力を有する第１レンズ群と、正の屈折力を有する第２レンズ群と、からなり、前記第１レンズ群と前記第２レンズ群との間隔を変化させることによって焦点距離を変化させるズームレンズであって、前記第２レンズ群は、物体側から順に、少なくとも１面に非球面が形成された正の屈折力を有する第１レンズと、正の屈折力を有する第２レンズと、負の屈折力を有する第３レンズと、正の屈折力を有する第４レンズと、が配置されて構成され、前記第２レンズと前記第３レンズとは接合されており、以下の条件式を満足することを特徴とする。
（１）  ｆ1／ｆw＞−３．０
（２）  ｆ2／ｆw＜３．４
（４）  ０．５＜Ｄ21／ｆ2≦０．６２
ただし、ｆ1は前記第１レンズ群の焦点距離、ｆ2は前記第２レンズ群の焦点距離、ｆwは前記ズームレンズの広角端における焦点距離、Ｄ21は前記第２レンズ群の第１レンズの厚さを示す。
【０００８】
この請求項１に記載の発明によれば、前記第２レンズ群への入射光束の高さを押さえつつ、十分なバックフォーカスを確保しながら、小型高性能のズームレンズが得られる。加えて、前記第２レンズ群の第１レンズを厚くせずに、球面収差やコマ収差を良好に補正することができる。
【０００９】
また、請求項２の発明にかかるズームレンズは、請求項１に記載の発明において、前記第１レンズ群が、物体側から順に、負の屈折力を有するメニスカスレンズからなる第１レンズと、負の屈折力を有する第２レンズと、正の屈折力を有する第３レンズと、が配置されて構成され、前記第１レンズ群の第３レンズにおけるｄ線の屈折率をＮｄ13、前記第１レンズ群の第３レンズにおけるｄ線のアッベ数をνｄ13とするとき、以下の条件式を満足することを特徴とする。
（７）  Ｎｄ13＞１．９
（８）  νｄ13＜１９
【００１０】
この請求項２に記載の発明によれば、さらに色収差の発生を抑制することができる。
【００１１】
また、請求項３の発明にかかるズームレンズは、請求項１または２に記載の発明において、前記第２レンズ群の第１レンズ物体側面から前記第２レンズ群の前側主点位置までの距離をｆ2ｈ1とするとき、以下の条件式を満足することを特徴とする。
（３）  ｆ2ｈ1／ｆw＜０．２８
【００１２】
この請求項３に記載の発明によれば、ズームレンズの広角端におけるＦナンバーを１．２〜１．４程度とすることができ、明るい像が得られるようになる。
【００１３】
また、請求項４の発明にかかるズームレンズは、請求項１〜３のいずれかひとつに記載の発明において、前記第２レンズ群の第４レンズの少なくとも１面には、非球面が形成されていることを特徴とする。
【００１４】
この請求項４に記載の発明によれば、より効果的にコマ収差や非点収差の発生を抑制することができる。
【００１５】
また、請求項５の発明にかかるズームレンズは、請求項２〜４のいずれかひとつに記載の発明において、以下の条件式を満足することを特徴とする。
（５）  Ｎｄ11＞１．８
（６）  Ｎｄ12＞１．７
ただし、Ｎｄ11は前記第１レンズ群の第１レンズにおけるｄ線の屈折率、Ｎｄ12は前記第１レンズ群の第２レンズにおけるｄ線の屈折率を示す。
【００１６】
この請求項５に記載の発明によれば、より効果的にコマ収差、歪曲収差、および非点収差の発生を抑制することができる。
【発明の効果】
【００１９】
この発明によれば、広角大口径で、明るい像が得られる小型高性能なズームレンズを提供することができるという効果を奏する。
【発明を実施するための最良の形態】
【００２０】
以下、この発明にかかるズームレンズの好適な実施の形態を詳細に説明する。
【００２１】
この発明の実施の形態にかかるズームレンズは、物体側から順に、負の屈折力を有する第１レンズ群と、正の屈折力を有する第２レンズ群と、が配置されて構成される。このズームレンズは、前記第１レンズ群と前記第２レンズ群との間隔を変化させることによって焦点距離を変化させる。
【００２２】
前記第１レンズ群は、物体側から順に、負の屈折力を有するメニスカスレンズからなる第１レンズ、負の屈折力を有する第２レンズ、正の屈折力を有する第３レンズが配置されて構成される。
【００２３】
前記第２レンズ群は、物体側から順に、少なくとも１面に非球面が形成された正の屈折力を有する第１レンズと、正の屈折力を有する第２レンズと、負の屈折力を有する第３レンズと、正の屈折力を有する第４レンズと、が配置されて構成される。前記第２レンズと前記第３レンズとは接合されている。
【００２４】
この発明は、広角大口径および３．５倍以上の変倍が可能で、明るい像が得られる小型高性能なズームレンズを提供することを目的としている。そこで、かかる目的を達成するため、以下に示すような各種条件を設定している。
【００２５】
この実施の形態にかかるズームレンズは、広角大口径であり、また前記第１レンズ群は負の屈折力を有しているため、前記第１レンズ群から発散された光束は、前記第２レンズ群の非常に高い位置に入射する傾向にある。これが高次の球面収差やコマ収差を発生させる原因となる。
【００２６】
そこで、この実施の形態にかかるズームレンズでは、前記第１レンズ群の焦点距離をｆ1、前記第２レンズ群の焦点距離をｆ2、前記ズームレンズの広角端における焦点距離をｆw、前記第２レンズ群の第１レンズの厚さをＤ21とするとき、次の条件式を満足することが好ましい。
（１）  ｆ1／ｆw＞−３．０
（２）  ｆ2／ｆw＜３．４
（４）  ０．５＜Ｄ21／ｆ2≦０．６２
【００２７】
この条件式（１），（２）を満足することにより、前記第２レンズ群への入射光束の高さを押さえつつ、十分なバックフォーカスを確保しながら小型のズームレンズを構成することができる。また、前述のように、前記第２レンズ群の第１レンズには非球面が形成されていることから、効果的に高次の球面収差やコマ収差の発生を抑制することができる。さらに、前記第２レンズと前記第３レンズとが接合されていることで、効果的に色収差の発生を抑制することができる。したがって、この実施の形態のズームレンズは、上述した構成のもと、条件式（１），（２）を満足することで小型高性能のズームレンズになる。さらに、条件式（４）を満足することで、前記第２レンズ群の第１レンズを厚くせずに、球面収差やコマ収差を良好に補正することができる。ここで、条件式（４）においてその下限を下回ると、前記第２レンズ群の第１レンズを薄くすることはできるが、球面収差やコマ収差を良好に補正することが困難になる。一方、条件式（４）においてその上限を超えると、球面収差やコマ収差を良好に補正することはできるが、前記第２レンズ群の第１レンズを薄くすることが困難になる。当該第１レンズの厚さが増すと、光学系の全長が延び光学系の小型化が阻害される。したがって、条件式（１），（２）に加え、条件式（４）を満足することで、ズームレンズの小型化、高性能化が一層促進されることになる。
【００２８】
また、この実施の形態にかかるズームレンズでは、前記第２レンズ群の第１レンズ物体側面から前記第２レンズ群の前側主点位置までの距離をｆ2ｈ1とするとき、次の条件式を満足することが好ましい。
（３）  ｆ2ｈ1／ｆw＜０．２８
【００２９】
この条件式（３）を満足することにより、ズームレンズの広角端におけるＦナンバーを１．２〜１．４程度とすることができ、明るい像が得られるようになる。もし、条件式（３）の値がその上限を上回ると、明るい像が得られず、薄暗い場所をより広い範囲まで監視する機能が求められる監視カメラには不適なレンズとなり、好ましくない。
【００３０】
また、この実施の形態にかかるズームレンズでは、前記第２レンズ群の第４レンズを正の屈折力を有するレンズで構成することにより、コマ収差や非点収差を補正している。さらに、前記第４レンズの少なくとも１面に非球面を形成すれば、より効果的にコマ収差やコマ収差の発生を抑制することができる。
【００３３】
さらに、この実施の形態にかかるズームレンズでは、前記第１レンズ群の第１レンズにおけるｄ線の屈折率をＮｄ11、前記第１レンズ群の第２レンズにおけるｄ線の屈折率をＮｄ12とするとき、次の条件式を満足することが好ましい。
（５）  Ｎｄ11＞１．８
（６）  Ｎｄ12＞１．７
【００３４】
この条件式（５），（６）を満足することにより、コマ収差、歪曲収差、および非点収差の発生を抑制することができる。
【００３５】
さらに、この実施の形態にかかるズームレンズでは、前記第１レンズ群の第３レンズにおけるｄ線の屈折率をＮｄ13、前記第１レンズ群の第３レンズにおけるｄ線のアッベ数をνｄ13とするとき、以下の条件式を満足することが好ましい。
（７）  Ｎｄ13＞１．９
（８）  νｄ13＜１９
【００３６】
この条件式（７），（８）を満足することにより、より効果的に色収差の発生を抑制することができる。
【００３７】
以上説明したように、この実施の形態にかかるズームレンズは、上記のような特徴を備えているので、広角大口径で、明るい像が得られる小型高性能なズームレンズになる。特に、このズームレンズは、適宜非球面が形成されたレンズを用いて構成されていることにより、少ないレンズ枚数で諸収差を効果的に補正できるとともに、光学系の小型軽量化、製造コストの低減化を図ることができる。
【実施例】
【００３８】
以下、この発明にかかるズームレンズの実施例を示す。
【００３９】
（実施例１）
図１は、実施例１にかかるズームレンズの構成を示す光軸に沿う断面図である。このズームレンズ１００は、図示しない物体側から順に、負の屈折力を有する第１レンズ群Ｇ11、正の屈折力を有する第２レンズ群Ｇ12が配置されて構成される。このズームレンズ１００は、第１レンズ群Ｇ11と第２レンズ群Ｇ12との間隔を変化させることによって、焦点距離を変える。また、第１レンズ群Ｇ11と第２レンズ群Ｇ12との間には、絞りＳＴＰが配置される。第２レンズ群Ｇ12と像面ＩＭＧとの間には、撮像素子のカバーガラスＣＧが配置されている。特に、カバーガラスＣＧの後方の面が像面ＩＭＧと一致するように配置されている。このカバーガラスＣＧは必要に応じて配置されるものであり、不要な場合は省略可能である。また、像面ＩＭＧには、ＣＣＤやＣＭＯＳなどの撮像素子の受光面が配置される。
【００４０】
第１レンズ群Ｇ11は、前記物体側から順に、負の屈折力を有するメニスカスレンズからなる第１レンズＬ111、負の屈折力を有する第２レンズＬ112、および正の屈折力を有する第３レンズＬ113が配置されて構成されている。
【００４１】
第２レンズ群Ｇ12は、前記物体側から順に、正の屈折力を有する第１レンズＬ121、正の屈折力を有する第２レンズＬ122、負の屈折力を有する第３レンズＬ123、および正の屈折力を有する第４レンズＬ124が配置されて構成されている。第１レンズＬ121の両面には、非球面が形成されている。第２レンズＬ122と第３レンズＬ123とは接合されている。
【００４２】
以下、実施例１にかかるズームレンズに関する各種数値データを示す。
【００４３】
広角端における焦点距離（ｆw）＝2.84mm
望遠端における焦点距離＝10.10mm
Ｆナンバー＝1.2（広角端）〜2.7（望遠端）
画角（２ω）＝138.7°（広角端）〜36.0°（望遠端）
第１レンズ群Ｇ11の焦点距離（ｆ1）＝-7.85mm
第２レンズ群Ｇ12の焦点距離（ｆ2）＝9.01mm
第２レンズ群Ｇ12の第１レンズＬ121物体側面から前記第２レンズ群Ｇ12の前側主点位置までの距離(ｆ2ｈ1)＝0.04mm
第２レンズ群Ｇ12の第１レンズＬ121の厚さ(Ｄ21)＝5.400mm
【００４４】
（条件式（１）に関する数値）
ｆ1／ｆw＝−2.76
【００４５】
（条件式（２）に関する数値）
ｆ2／ｆw＝3.17
【００４６】
（条件式（３）に関する数値）
ｆ2ｈ1／ｆw＝0.014
【００４７】
（条件式（４）に関する数値）
Ｄ21／ｆ2＝0.59
【００４８】
（条件式（５）に関する数値）
第１レンズ群Ｇ11の第１レンズＬ111におけるｄ線の屈折率（Ｎｄ11）＝1.9037
【００４９】
（条件式（６）に関する数値）
第１レンズ群Ｇ11の第２レンズＬ112におけるｄ線の屈折率（Ｎｄ12）＝1.7725
【００５０】
（条件式（７）に関する数値）
第１レンズ群Ｇ11の第３レンズＬ113におけるｄ線の屈折率（Ｎｄ13）＝1.9229
【００５１】
（条件式（８）に関する数値）
第１レンズ群Ｇ11の第３レンズＬ113におけるｄ線のアッベ数（νｄ13）＝18.9
【００５２】
ｒ1＝33.7352
ｄ1＝0.800    ｎｄ1＝1.9037    νｄ1＝31.3
ｒ2＝6.5582
ｄ2＝3.670
ｒ3＝-36.7430
ｄ3＝0.500    ｎｄ2＝1.7725    νｄ2＝49.6
ｒ4＝13.4979
ｄ4＝0.500
ｒ5＝12.6500
ｄ5＝2.000    ｎｄ3＝1.9229    νｄ3＝18.9
ｒ6＝94.6205
ｄ6＝11.488（広角端）〜1.673（望遠端）
ｒ7＝∞（絞り）
ｄ7＝9.249（広角端）〜1.196（望遠端）
ｒ8＝8.9204（非球面）
ｄ8＝5.400    ｎｄ4＝1.7433    νｄ4＝49.3
ｒ9＝-16.5320（非球面）
ｄ9＝0.100
ｒ10＝23.9795
ｄ10＝2.400    ｎｄ5＝1.7725    νｄ5＝49.6
ｒ11＝-28.9186
ｄ11＝2.200    ｎｄ6＝1.9229    νｄ6＝20.2
ｒ12＝5.4821
ｄ12＝0.394
ｒ13＝7.7383
ｄ13＝2.700    ｎｄ7＝1.86061    νｄ7＝33.3
ｒ14＝-133.2768
ｄ14＝2.648（広角端）〜10.706（望遠端）
ｒ15＝∞
ｄ15＝3.500    ｎｄ8＝1.5163    νｄ8＝64.1
ｒ16＝∞（像面）
【００５３】
円錐係数（ｋ）および非球面係数（Ａ，Ｂ，Ｃ，Ｄ，Ｅ）
（第８面）
ｋ＝1.000000000，Ａ＝0，
Ｂ＝3.024327×10+7，  Ｃ＝3.884200×10-3，
Ｄ＝5.113500×10-4，  Ｅ＝2.865100×10-6
（第９面）
ｋ＝1.000000000，Ａ＝0，
Ｂ＝8.880200×10-1，  Ｃ＝8.061500×10-2，
Ｄ＝2.029800×10-3，  Ｅ＝1.138000×10-6
【００５４】
また、図２は、実施例１にかかるズームレンズの広角端における諸収差図である。図３は、実施例１にかかるズームレンズの望遠端における諸収差図である。図中、ＦはＦナンバー、２ωは画角を示す。また、ｄはｄ線（λ＝５８７．５６ｎｍ）、ＧはＧ線（λ＝４３５．８４ｎｍ）、ＦはＦ線（λ＝４８６．１３    ｎｍ）、ＣはＣ線（λ＝６５６．２８ｎｍ）、ＥはＥ線（λ＝５４６．０７ｎｍ）に相当する波長の収差を表す。そして、非点収差図における符号ΔＳ，ΔＭは、それぞれサジタル像面、メリディオナル像面に対する収差を表す。
【００５５】
（実施例２）
図４は、実施例２にかかるズームレンズの構成を示す光軸に沿う断面図である。このズームレンズ２００は、図示しない物体側から順に、負の屈折力を有する第１レンズ群Ｇ21、正の屈折力を有する第２レンズ群Ｇ22が配置されて構成される。このズームレンズ２００は、第１レンズ群Ｇ21と第２レンズ群Ｇ22との間隔を変化させることによって焦点距離を変える。また、第１レンズ群Ｇ21と第２レンズ群Ｇ22との間には、絞りＳＴＰが配置される。第２レンズ群Ｇ22と像面ＩＭＧとの間には、撮像素子のカバーガラスＣＧが配置されている。特に、カバーガラスＣＧの後方の面が像面ＩＭＧと一致するように配置されている。このカバーガラスＣＧは必要に応じて配置されるものであり、不要な場合は省略可能である。また、像面ＩＭＧには、ＣＣＤやＣＭＯＳなどの撮像素子の受光面が配置される。
【００５６】
第１レンズ群Ｇ21は、前記物体側から順に、負の屈折力を有するメニスカスレンズからなる第１レンズＬ211、負の屈折力を有する第２レンズＬ212、および正の屈折力を有する第３レンズＬ213が配置されて構成されている。
【００５７】
第２レンズ群Ｇ22は、前記物体側から順に、正の屈折力を有する第１レンズＬ221、正の屈折力を有する第２レンズＬ222、負の屈折力を有する第３レンズＬ223、および正の屈折力を有する第４レンズＬ224が配置されて構成されている。第１レンズＬ221および第４レンズＬ224のそれぞれ両面には、非球面が形成されている。また、第２レンズＬ222と第３レンズＬ223とは接合されている。
【００５８】
以下、実施例２にかかるズームレンズに関する各種数値データを示す。
【００５９】
広角端における焦点距離（ｆw）＝2.87mm
望遠端における焦点距離＝10.10mm
Ｆナンバー＝1.2（広角端）〜2.7（望遠端）
画角（２ω）＝139.5°（広角端）〜36.5°（望遠端）
第１レンズ群Ｇ21の焦点距離（ｆ1）＝-7.87mm
第２レンズ群Ｇ22の焦点距離（ｆ2）＝9.09mm
第２レンズ群Ｇ22の第１レンズＬ221物体側面から前記第２レンズ群Ｇ22の前側主点位置までの距離(ｆ2ｈ1)＝0.25mm
第２レンズ群Ｇ22の第１レンズＬ221の厚さ(Ｄ21)＝5.600mm
【００６０】
（条件式（１）に関する数値）
ｆ1／ｆw＝−2.74
【００６１】
（条件式（２）に関する数値）
ｆ2／ｆw＝3.17
【００６２】
（条件式（３）に関する数値）
ｆ2ｈ1／ｆw＝0.087
【００６３】
（条件式（４）に関する数値）
Ｄ21／ｆ2＝0.62
【００６４】
（条件式（５）に関する数値）
第１レンズ群Ｇ21の第１レンズＬ211におけるｄ線の屈折率（Ｎｄ11）＝1.8830
【００６５】
（条件式（６）に関する数値）
第１レンズ群Ｇ21の第２レンズＬ212におけるｄ線の屈折率（Ｎｄ12）＝1.8830
【００６６】
（条件式（７）に関する数値）
第１レンズ群Ｇ21の第３レンズＬ213におけるｄ線の屈折率（Ｎｄ13）＝1.9459
【００６７】
（条件式（８）に関する数値）
第１レンズ群Ｇ21の第３レンズＬ213におけるｄ線のアッベ数（νｄ13）＝18
【００６８】
ｒ1＝34.9135
ｄ1＝0.800    ｎｄ1＝1.8830    νｄ1＝40.8
ｒ2＝6.4345
ｄ2＝3.670
ｒ3＝-30.3053
ｄ3＝0.500    ｎｄ2＝1.8830    νｄ2＝40.8
ｒ4＝20.2348
ｄ4＝0.500
ｒ5＝15.0931
ｄ5＝2.000    ｎｄ3＝1.9459    νｄ3＝18
ｒ6＝203.4646
ｄ6＝11.515（広角端）〜1.699（望遠端）
ｒ7＝∞（絞り）
ｄ7＝9.142（広角端）〜1.107（望遠端）
ｒ8＝8.9131（非球面）
ｄ8＝5.600    ｎｄ4＝1.7433    νｄ4＝49.3
ｒ9＝-15.4054（非球面）
ｄ9＝0.100
ｒ10＝23.8136
ｄ10＝2.390    ｎｄ5＝1.7725    νｄ5＝49.6
ｒ11＝-15.2457
ｄ11＝2.190    ｎｄ6＝1.9229    νｄ6＝20.2
ｒ12＝5.5095
ｄ12＝0.476
ｒ13＝8.4453（非球面）
ｄ13＝2.600    ｎｄ7＝1.8467    νｄ7＝23.8
ｒ14＝-82.1945（非球面）
ｄ14＝2.650（広角端）〜10.685（望遠端）
ｒ15＝∞
ｄ15＝3.500    ｎｄ8＝1.5163    νｄ8＝64.1
ｒ16＝∞（像面）
【００６９】
円錐係数（ｋ）および非球面係数（Ａ，Ｂ，Ｃ，Ｄ，Ｅ）
（第８面）
ｋ＝1.000000000，Ａ＝0，
Ｂ＝3.035774×10+7，  Ｃ＝1.750600×10-2，
Ｄ＝1.022100×10-3，  Ｅ＝3.026100×10-6
（第９面）
ｋ＝1.000000000，Ａ＝0，
Ｂ＝1.437594×10+7，  Ｃ＝8.842600×10-2，
Ｄ＝9.156700×10-3，  Ｅ＝2.030500×10-5
（第１３面）
ｋ＝1.000000000，Ａ＝0，
Ｂ＝2.602000×10-2，  Ｃ＝2.227600×10-3，
Ｄ＝2.276400×10-3，  Ｅ＝5.207200×10-4
（第１４面）
ｋ＝1.000000000，Ａ＝0，
Ｂ＝9.526800×10-1，  Ｃ＝6.045700×10-2，
Ｄ＝8.217200×10-4，  Ｅ＝4.852200×10-5
【００７０】
また、図５は、実施例２にかかるズームレンズの広角端における諸収差図である。図６は、実施例２にかかるズームレンズの望遠端における諸収差図である。図中、ＦはＦナンバー、２ωは画角を示す。また、ｄはｄ線（λ＝５８７．５６ｎｍ）、ＧはＧ線（λ＝４３５．８４ｎｍ）、ＦはＦ線（λ＝４８６．１３    ｎｍ）、ＣはＣ線（λ＝６５６．２８ｎｍ）、ＥはＥ線（λ＝５４６．０７ｎｍ）に相当する波長の収差を表す。そして、非点収差図における符号ΔＳ，ΔＭは、それぞれサジタル像面、メリディオナル像面に対する収差を表す。
【００７１】
（実施例３）
図７は、実施例３にかかるズームレンズの構成を示す光軸に沿う断面図である。このズームレンズ３００は、図示しない物体側から順に、負の屈折力を有する第１レンズ群Ｇ31、正の屈折力を有する第２レンズ群Ｇ32が配置されて構成される。このズームレンズ３００は、第１レンズ群Ｇ31と第２レンズ群Ｇ32との間隔を変化させることによって焦点距離を変える。また、第１レンズ群Ｇ31と第２レンズ群Ｇ32との間には、絞りＳＴＰが配置される。第２レンズ群Ｇ32と像面ＩＭＧとの間には、撮像素子のカバーガラスＣＧが配置されている。特に、カバーガラスＣＧの後方の面が像面ＩＭＧと一致するように配置されている。このカバーガラスＣＧは必要に応じて配置されるものであり、不要な場合は省略可能である。また、像面ＩＭＧには、ＣＣＤやＣＭＯＳなどの撮像素子の受光面が配置される。
【００７２】
第１レンズ群Ｇ31は、前記物体側から順に、負の屈折力を有するメニスカスレンズからなる第１レンズＬ311、負の屈折力を有する第２レンズＬ312、および正の屈折力を有する第３レンズＬ313が配置されて構成されている。
【００７３】
第２レンズ群Ｇ32は、前記物体側から順に、正の屈折力を有する第１レンズＬ321、正の屈折力を有する第２レンズＬ322、負の屈折力を有する第３レンズＬ323、および正の屈折力を有する第４レンズＬ324が配置されて構成されている。第１レンズＬ321の両面には、非球面が形成されている。また、第２レンズＬ322と第３レンズＬ323とは接合されている。
【００７４】
以下、実施例３にかかるズームレンズに関する各種数値データを示す。
【００７５】
広角端における焦点距離（ｆw）＝2.89mm
望遠端における焦点距離＝10.05mm
Ｆナンバー＝1.4（広角端）〜3.0（望遠端）
画角（２ω）＝139.3°（広角端）〜36.0°（望遠端）
第１レンズ群Ｇ31の焦点距離（ｆ1）＝-8.06mm
第２レンズ群Ｇ32の焦点距離（ｆ2）＝8.98mm
第２レンズ群Ｇ32の第１レンズＬ321物体側面から前記第２レンズ群Ｇ32の前側主点位置までの距離(ｆ2ｈ1)＝-0.09mm
第２レンズ群Ｇ32の第１レンズＬ321の厚さ(Ｄ21)＝5.00mm
【００７６】
（条件式（１）に関する数値）
ｆ1／ｆw＝−2.79
【００７７】
（条件式（２）に関する数値）
ｆ2／ｆw＝3.10
【００７８】
（条件式（３）に関する数値）
ｆ2ｈ1／ｆw＝-0.032
【００７９】
（条件式（４）に関する数値）
Ｄ21／ｆ2＝0.56
【００８０】
（条件式（５）に関する数値）
第１レンズ群Ｇ31の第１レンズＬ311におけるｄ線の屈折率（Ｎｄ11）＝1.9037
【００８１】
（条件式（６）に関する数値）
第１レンズ群Ｇ31の第２レンズＬ312におけるｄ線の屈折率（Ｎｄ12）＝1.7725
【００８２】
（条件式（７）に関する数値）
第１レンズ群Ｇ31の第３レンズＬ313におけるｄ線の屈折率（Ｎｄ13）＝1.9229
【００８３】
（条件式（８）に関する数値）
第１レンズ群Ｇ31の第３レンズＬ313におけるｄ線のアッベ数（νｄ13）＝18.9
【００８４】
ｒ1＝35.8543
ｄ1＝0.80    ｎｄ1＝1.9037    νｄ1＝31.3
ｒ2＝6.5687
ｄ2＝3.67
ｒ3＝-36.7416
ｄ3＝0.50    ｎｄ2＝1.7725    νｄ2＝49.6
ｒ4＝13.6804
ｄ4＝0.50
ｒ5＝12.6729
ｄ5＝1.80    ｎｄ3＝1.9229    νｄ3＝18.9
ｒ6＝99.0569
ｄ6＝11.367（広角端）〜1.537（望遠端）
ｒ7＝∞（絞り）
ｄ7＝9.4220（広角端）〜1.445（望遠端）
ｒ8＝8.6523（非球面）
ｄ8＝5.00    ｎｄ4＝1.7433    νｄ4＝49.3
ｒ9＝-17.4291（非球面）
ｄ9＝0.10
ｒ10＝24.3278
ｄ10＝2.32    ｎｄ5＝1.7725    νｄ5＝49.6
ｒ11＝-33.6111
ｄ11＝2.27    ｎｄ6＝1.9229    νｄ6＝20.2
ｒ12＝5.2753
ｄ12＝0.419
ｒ13＝7.3173
ｄ13＝2.70    ｎｄ7＝1.86061    νｄ7＝33.3
ｒ14＝-171.6282
ｄ14＝2.6896（広角端）〜10.667（望遠端）
ｒ15＝∞
ｄ15＝3.500    ｎｄ8＝1.5163    νｄ8＝64.1
ｒ16＝∞（像面）
【００８５】
円錐係数（ｋ）および非球面係数（Ａ，Ｂ，Ｃ，Ｄ，Ｅ）
（第８面）
ｋ＝1.000000000，Ａ＝0，
Ｂ＝-3.022413×10-4，  Ｃ＝4.051635×10-7，
Ｄ＝-1.072470×10-7，  Ｅ＝-1.243641×10-9
（第９面）
ｋ＝1.000000000，Ａ＝0，
Ｂ＝8.862855×10-5，  Ｃ＝3.958607×10-6，
Ｄ＝-3.143857×10-7，  Ｅ＝2.369746×10-9
【００８６】
また、図８は、実施例３にかかるズームレンズの広角端における諸収差図である。図９は、実施例３にかかるズームレンズの望遠端における諸収差図である。図中、ＦはＦナンバー、２ωは画角を示す。また、ｄはｄ線（λ＝５８７．５６ｎｍ）、ＧはＧ線（λ＝４３５．８４ｎｍ）、ＦはＦ線（λ＝４８６．１３    ｎｍ）、ＣはＣ線（λ＝６５６．２８ｎｍ）、ＥはＥ線（λ＝５４６．０７ｎｍ）に相当する波長の収差を表す。そして、非点収差図における符号ΔＳ，ΔＭは、それぞれサジタル像面、メリディオナル像面に対する収差を表す。
【００８７】
なお、上記数値データにおいて、ｒ1，ｒ2，・・・・は各レンズの曲率半径、ｄ1，ｄ2，・・・・は各レンズの肉厚またはそれらの面間隔、ｎｄ1，ｎｄ2，・・・・は各レンズにおけるｄ線の屈折率、νｄ1，νｄ2，・・・・は各レンズにおけるｄ線のアッベ数を示している。
【００８８】
また、上記各非球面形状は、光軸方向にＸ軸、光軸と垂直方向にＹ軸をとり、光の進行方向を正とするとき、以下に示す式により表される。
【００８９】
【数１】
0005265218.tif 000002
【００９０】
ただし、Ｒは近軸曲率半径、ｋは円錐係数、Ａ，Ｂ，Ｃ，Ｄ，Ｅはそれぞれ２次，４次，６次，８次，１０次の非球面係数である。
【００９１】
以上説明したように、この実施例にかかるズームレンズは、上記のような特徴を備えているので、広角大口径で、明るい像が得られる小型高性能なズームレンズになる。すなわち、このズームレンズは、広角端の画角が１００°以上で、広角端におけるＦナンバーも１．２〜１．４程度以上あり、３．５倍以上の変倍が可能である。加えて、諸収差も良好に補正することができるので、監視カメラなどとして用いるボードカメラ用のレンズとして最適である。さらに、このズームレンズは、適宜非球面が形成されたレンズを用いて構成したことにより、少ないレンズ枚数で諸収差を効果的に補正できるとともに、光学系の小型軽量化、製造コストの低減化を図ることができる。
【産業上の利用可能性】
【００９２】
以上のように、この発明のズームレンズは、監視カメラなどとして用いるボードカメラ用のレンズとして有用であり、特に、高い光学性能が要求される場合に最適である。
【図面の簡単な説明】
【００９３】
【図１】実施例１にかかるズームレンズの構成を示す光軸に沿う断面図である。
【図２】実施例１にかかるズームレンズの広角端における諸収差図である。
【図３】実施例１にかかるズームレンズの望遠端における諸収差図である。
【図４】実施例２にかかるズームレンズの構成を示す光軸に沿う断面図である。
【図５】実施例２にかかるズームレンズの広角端における諸収差図である。
【図６】実施例２にかかるズームレンズの望遠端における諸収差図である。
【図７】実施例３にかかるズームレンズの構成を示す光軸に沿う断面図である。
【図８】実施例３にかかるズームレンズの広角端における諸収差図である。
【図９】実施例３にかかるズームレンズの望遠端における諸収差図である。
【符号の説明】
【００９４】
１００，２００，３００  ズームレンズ
Ｇ11，Ｇ21，Ｇ31  第１レンズ群
Ｇ12，Ｇ22，Ｇ32  第２レンズ群
Ｌ111，Ｌ121，Ｌ211，Ｌ221，Ｌ311，Ｌ321  第１レンズ
Ｌ112，Ｌ122，Ｌ212，Ｌ222，Ｌ312，Ｌ322  第２レンズ
Ｌ113，Ｌ123，Ｌ213，Ｌ223，Ｌ313，Ｌ323  第３レンズ
Ｌ124，Ｌ224，Ｌ324  第４レンズ
ＳＴＰ  絞り
ＩＭＧ  像面
ＣＧ  カバーガラス
【図１】
0005265218.tif 000003
【図２】
0005265218.tif 000004
【図３】
0005265218.tif 000005
【図４】
0005265218.tif 000006
【図５】
0005265218.tif 000007
【図６】
0005265218.tif 000008
【図７】
0005265218.tif 000009
【図８】
0005265218.tif 000010
【図９】
0005265218.tif 000011